【手続補正書】
【提出日】平成17年5月9日(2005.5.9)
【手続補正１】
【補正対象書類名】明細書
【補正対象項目名】発明の名称
【補正方法】変更
【補正の内容】
【発明の名称】ディスク装置
【手続補正２】
【補正対象書類名】明細書
【補正対象項目名】特許請求の範囲
【補正方法】変更
【補正の内容】
【特許請求の範囲】
【請求項１】
表面側から裏面側にディスクを挿入可能とされた略スリット状のディスク挿入口が設けられたパネル部材と、
前記パネル部材の裏面側に配置され挿入された前記ディスクが最終的に装着される装着部とを備え、
前記ディスク挿入口の長手方向中心と、前記装着部に装着された前記ディスクの中心とが、前記ディスク挿入口の長手方向にズレた状態で前記パネル部材に前記装着部が配置されると共に、前記ディスクの挿入に伴なって前記ディスクを前記装着部の最終装着位置に向けて案内する案内手段を有することを特徴とするディスク装置。
【請求項２】
前記案内手段は、前記ディスク挿入口の長手方向端部に設けられ前記ディスクの外周部に当接して前記ディスクを前記ディスク挿入口の長手方向に変位させるガイド面であることを特徴とする請求項１に記載したディスク装置。
【請求項３】
前記ディスク挿入口は、前記パネル部材に設けられた開口部にディスク挿入口部材が固定されて形成されていることを特徴とする請求項１または請求項２に記載したディスク装置。
【手続補正３】
【補正対象書類名】明細書
【補正対象項目名】０００１
【補正方法】変更
【補正の内容】
【０００１】
【発明の属する技術分野】
本発明は、コンパクトディスク（ＣＤ）やディジタルバーサタイルディスク（ＤＶＤ）等のディスクを装着可能とするディスク装置に関する。
【手続補正４】
【補正対象書類名】明細書
【補正対象項目名】０００２
【補正方法】変更
【補正の内容】
【０００２】
【従来の技術】
ＣＤやＤＶＤ等のディスクを装着可能とするディスク装置は、パネル部材に設けられた略スリット状のディスク挿入口からディスクを挿入し、また、排出するようになっている。従来より、ディスク挿入口と、ディスクを装着する装着部は、ディスク挿入口の長手方向の中心同士を一致させて配置するのが一般的である。
ディスク挿入口は、意匠上の観点から、安定感のある左右対称にされて、パネル部材に設けられている。装着部は、その他の装置とのレイアウトの関係から位置が決定されることが多く、必ずしも装着部の中心を、ディスク挿入口の中心と一致させて配置することができない場合がある。
【手続補正５】
【補正対象書類名】明細書
【補正対象項目名】０００３
【補正方法】変更
【補正の内容】
【０００３】
【発明が解決しようとする課題】
ディスク挿入口の中心と、装着部に装着されたディスクの中心とを一致させた状態で装着部を配置することが困難である場合、従来技術では、パネル部材に対してディスク挿入口を左右対称に配置することができないという問題が生じる。本発明が解決しようとする課題には、上記した問題が一例として挙げられる。
【手続補正６】
【補正対象書類名】明細書
【補正対象項目名】０００４
【補正方法】変更
【補正の内容】
【０００４】
【課題を解決するための手段】
請求項１に記載の発明は、表面側から裏面側にディスクを挿入可能とされた略スリット状のディスク挿入口が設けられたパネル部材と、
前記パネル部材の裏面側に配置され挿入された前記ディスクが最終的に装着される装着部とを備え、
前記ディスク挿入口の長手方向中心と、前記装着部に装着された前記ディスクの中心とが、前記ディスク挿入口の長手方向にズレた状態で前記パネル部材に前記装着部が配置されると共に、前記ディスクの挿入に伴なって前記ディスクを前記装着部の最終装着位置に向けて案内する案内手段を有することを特徴とする。
【手続補正７】
【補正対象書類名】明細書
【補正対象項目名】０００５
【補正方法】変更
【補正の内容】
【０００５】
【発明の実施の形態】
以下本発明に係る実施形態を図面に基づいて詳細に説明する。
図１はディスク装置の斜視図、図２は裏面側から見たパネル部材の分解斜視図、図３はディスクを挿入する状態を示す図１のＩＩＩ−ＩＩＩ矢視横断面図、図４はディスクが装着部から排出される状態を示す図１のＩＩＩ−ＩＩＩ矢視横断面図である。
【手続補正８】
【補正対象書類名】明細書
【補正対象項目名】０００６
【補正方法】変更
【補正の内容】
【０００６】
図１に示すように、本発明に係る実施形態のディスク装置１は、パネル部材２と、装着部３とを備え、装着部３の前面にパネル部材２が固定して配設されている。パネル部材２には、表面２ｂ側から裏面２ｃ側に貫通するスリット状のディスク挿入口２ａが設けられている。スリット状のディスク挿入口２ａは、パネル部材２の外形に対して、左右対称に配置されている。
パネル部材２と装着部３とは、ディスク挿入口２ａの長手方向中心ＳＣが、装着部３に装着されたディスク８の中心ＭＣからズレ量ｅだけ、ディスク挿入口２ａの長手方向に偏った状態で組み付けられている。
【手続補正９】
【補正対象書類名】明細書
【補正対象項目名】０００７
【補正方法】変更
【補正の内容】
【０００７】
図１および図２に示すように、パネル部材２は、ＣＤやＤＶＤ等のディスク８をディスク挿入口２ａから挿入または排出させると共に、前面に配置された各種の操作ボタン４を操作して装着部３を制御するためのものであって、パネル５と、防塵カバー６と、ディスク挿入口部材７とを有している。
【手続補正１０】
【補正対象書類名】明細書
【補正対象項目名】０００９
【補正方法】変更
【補正の内容】
【０００９】
図２に示すように、防塵カバー６は、外部から塵等の異物がディスク装置１内に侵入するのを防止するためにものであって、中央部にディスク８の外径寸法Ｄより大きな角穴９ａが形成された補強板９に、不織布またはフェルト１０が接着等により固定された構造となっている。
不織布またはフェルト１０の角穴９ａに対向する位置には、ディスク８の外径寸法Ｄより長い、切り込みが設けられている。また、防塵カバー６には、パネル５の複数のピン５ｂに対応する位置に孔６ａが設けられている。
【手続補正１１】
【補正対象書類名】明細書
【補正対象項目名】００１１
【補正方法】変更
【補正の内容】
【００１１】
そして、図２に示すように、パネル部材２は、パネル５のピン５ｂに防塵カバー６の孔６ａ、およびディスク挿入口部材７の孔７ｃを挿通した後、ピン５ｂの先端を熱溶着することによって、パネル５とディスク挿入口部材７との間に防塵カバー６を挟持して組付けられている。
また、ディスク挿入口部材７は必ずしも熱溶着による組み付けでなくともよく、例えばピン５ｂを位置決めのために２本、もしくは３本残し、他をピンではなくねじ止め用穴形状にして、そのねじ止め用穴からねじにより組み付けるようにしてもよい。
【手続補正１２】
【補正対象書類名】明細書
【補正対象項目名】００１３
【補正方法】変更
【補正の内容】
【００１３】
ディスク挿入口部材７は、パネル５とは別部材とし、組付によってパネル部材２を構成するようにしたので、パネル部材２に対する装着部３のズレ量ｅが異なるディスク装置１に対しても、パネル５のみを交換することで対応が可能となる。
【手続補正１３】
【補正対象書類名】明細書
【補正対象項目名】００１４
【補正方法】変更
【補正の内容】
【００１４】
図３に示すように、ディスク８を矢印Ａ方向にディスク挿入口２ａに挿入すると、ディスク８の外周部８ａが段部１１に当接する。更にディスク８を挿入すると、装着部３に配設されている引込み機構（図示せず）が作動し、回転する一対のローラ（図示せず）でディスク８を挟持し、パネル部材２の裏面２ｃ側に引き込む。
このとき、ディスク８は、外周部８ａが案内手段である段部１１に案内されてディスク挿入口２ａの長手方向（図３においては、右方向）に変位しながら前進し、図３において、斜め右上方（矢印Ｂ方向）に移動する。
【手続補正１４】
【補正対象書類名】明細書
【補正対象項目名】００１７
【補正方法】変更
【補正の内容】
【００１７】
従って、レイアウト等の関係から、パネル部材２の中心に装着部３の中心を一致させて装着部３を配置できない場合でも、ディスク挿入口２ａをパネル部材２に対して左右対称に配置することが可能となり、安定感のあるデザインとすることができ、またこれによって、デザインの自由度を増大させることができる。
【手続補正１５】
【補正対象書類名】明細書
【補正対象項目名】００１８
【補正方法】変更
【補正の内容】
【００１８】
図４に示すように、装着部３からディスク８を排出する際には、ディスク８は最終装着位置ＦＰにおけるディスク８の中心ＭＣ上を矢印Ｄ方向に搬送され、スリット開口部７ｄに案内されてパネル部材２のディスク挿入口２ａから矢印Ｅ方向に排出される。
このとき、スリット開口部７ｄおよびパネル５の開口部５ａには、ディスク８に干渉するような段部等はないので、ディスク８は滑らかに排出される。
【手続補正１６】
【補正対象書類名】明細書
【補正対象項目名】００１９
【補正方法】変更
【補正の内容】
【００１９】
これによって、パネル部材２と装着部３の中心がズレて配置されたディスク装置１であっても、ズレを使用者に感じさせることなく、ズレのないディスク装置１とまったく同様に取り扱うことができる。
【手続補正１７】
【補正対象書類名】明細書
【補正対象項目名】００２０
【補正方法】変更
【補正の内容】
【００２０】
上述した内容をまとめると、実施形態のディスク装置は、表面２ｂ側から裏面２ｃ側にディスク８を挿入可能とされた略スリット状のディスク挿入口２ａが設けられたパネル部材２と、パネル部材２の裏面２ｃ側に配置され挿入されたディスク８が最終的に装着される装着部３とを備え、ディスク挿入口２ａの長手方向中心ＳＣと、装着部３に装着されたディスク８の中心ＭＣとが、ディスク挿入口２ａの長手方向にズレた状態で、パネル部材２に装着部３が配置されると共に、ディスク８の挿入に伴なってディスク８を装着部３が引き込みを開始する位置まで案内する案内手段としてのガイド面１１が設けられている。
【手続補正１８】
【補正対象書類名】明細書
【補正対象項目名】００２１
【補正方法】変更
【補正の内容】
【００２１】
従って、上述した実施形態のディスク装置においては、ディスク挿入口２ａの中心ＳＣと、装着部３に装着されるディスク８の中心ＭＣとを一致させて装着部３を配置することが困難である場合にも、パネル部材２に対してディスク挿入口２ａを左右対称に配置することができる。また、これによって、パネル部材２の意匠を安定感のあるデザインとすることができる。
更に、ディスク８をディスク挿入口２ａに挿入する際、ディスク挿入口２ａのどの位置から挿入しても、ディスク８は、装着部３が引き込みを開始する位置まで自動的に位置が修正されて装着部３の最終装着位置ＦＰに正しく装着することが可能となる。
また、これによって、装着部３のズレのないディスク装置１とまったく同様に取り扱うことができ、操作性を向上させ、また使用者に違和感を与えることはない。
【手続補正１９】
【補正対象書類名】明細書
【補正対象項目名】００２２
【補正方法】変更
【補正の内容】
【００２２】
なお、本発明のディスク装置は、前述した実施形態に限定されるものではなく、適宜な変形、改良等が可能である。
例えば、前述した実施形態では、ガイド面はスリット開口部の端部と、開口部の端部とで形成された段部として説明したが、スリット開口部の端部に形成したテーパ面等であってもよい。
【手続補正２０】
【補正対象書類名】明細書
【補正対象項目名】００２３
【補正方法】変更
【補正の内容】
【００２３】
その他、前述した実施形態において例示したディスク、ディスク挿入口、パネル部材、装着部、案内手段、ガイド面、パネル部材の開口部、ディスク挿入口部材等の材質、形状、寸法、形態、数、配置箇所等は、本発明を達成できるものであれば任意であり、限定されない。
【手続補正２１】
【補正対象書類名】明細書
【補正対象項目名】図面の簡単な説明
【補正方法】変更
【補正の内容】
【図面の簡単な説明】
【図１】ディスク装置の斜視図である。
【図２】裏面側から見たパネル部材の分解斜視図である。
【図３】ディスクを挿入する状態を示す図１におけるＩＩＩ−ＩＩＩ矢視横断面図である
。
【図４】ディスクが装着部から排出される状態を示す図１におけるＩＩＩ−ＩＩＩ矢視横
断面図である。
【符号の説明】
２    パネル部材
２ａ  ディスク挿入口
２ｂ  パネル部材の表面
２ｃ  パネル部材の裏面
３    装着部
５ａ  パネル部材の開口部
７    ディスク挿入口部材
８    ディスク
８ａ  ディスクの外周面
１１    段部（ガイド面、案内手段）
ＦＰ    最終装着位置
ＭＣ    装着部に装着されたディスクの中心
ＳＣ    ディスク挿入口の長手方向中心